(57)【要約】【課題】接地時におけるブロックの剛性を向上させることによりブロックの偏摩耗の発生を抑制できる空気入りタイヤを提供すること。【解決手段】この空気入りタイヤ１は、トレッド部に主溝２および横溝３を有すると共に、これらの溝２、３によって区画されて成る複数のブロック４を有する。そして、隣接するブロック４、４の対向する溝壁面には、一方の溝壁面に第一嵌合部４１が形成されると共に他方の溝壁面に第二嵌合部４２が形成されており、且つ、第一嵌合部４１および第二嵌合部４２がブロック４の接地時にて嵌合することを特徴とする。【選択図】        図１
2005297845.tif 000002
【特許請求の範囲】
【請求項１】
トレッド部に主溝および横溝を有すると共に、これらの溝によって区画されて成る複数のブロックを有する空気入りタイヤであって、
隣接するブロックの対向する溝壁面には、一方の溝壁面に第一嵌合部が形成されると共に他方の溝壁面に第二嵌合部が形成されており、且つ、前記第一嵌合部および前記第二嵌合部が前記ブロックの接地時にて嵌合することを特徴とする空気入りタイヤ。
【請求項２】
前記第一嵌合部および前記第二嵌合部が、前記ブロックの踏面に近い位置に形成される請求項１に記載の空気入りタイヤ。
【請求項３】
前記第一嵌合部および前記第二嵌合部が、前記ブロックの踏面に現れない位置に形成される請求項１または２に記載の空気入りタイヤ。
【請求項４】
前記第一嵌合部が、前記溝壁面を窪ませて成る凹部であり、前記第二嵌合部が、前記溝壁面を突出させて成る凸部である請求項１〜３のいずれか１項に記載の空気入りタイヤ。
【請求項５】
前記第二嵌合部の頂部面積Ｓ２が、前記第一嵌合部の開口面積Ｓ１よりも小さい請求項４に記載の空気入りタイヤ。
【請求項６】
前記ブロックが、隣接する前記ブロックの溝壁面に投影されたとき面積を投影面積Ｓ３としたときに、
前記投影面積Ｓ３が、隣接する前記ブロックの溝壁面に形成された第一嵌合部の開口面積Ｓ１よりも大きくなるように構成されている請求項４または５に記載の空気入りタイヤ。
【請求項７】
前記第二嵌合部の突出高さＬ２が、隣接する前記ブロック間の距離Ｇの半分以上の寸法を有する請求項４〜６のいずれか１項に記載の空気入りタイヤ。
【請求項８】
前記第一嵌合部の窪み深さＬ１が、第二嵌合部の突出高さＬ２よりも小さい請求項４〜７のいずれか１項に記載の空気入りタイヤ。
【請求項９】
前記第一嵌合部および前記第二嵌合部が、少なくとも前記ブロックの横溝側の溝壁面に形成される請求項１〜８のいずれか１項に記載の空気入りタイヤ。
【請求項１０】
前記第一嵌合部および前記第二嵌合部が、タイヤ周方向に配列された少なくとも１列の全ての前記ブロック間に形成される請求項１〜９のいずれか１項に記載の空気入りタイヤ。
【発明の詳細な説明】
【技術分野】
【０００１】
この発明は、空気入りタイヤに関し、さらに詳しくは、接地時におけるブロックの剛性を向上させることにより、ブロックの偏摩耗の発生を抑制できる空気入りタイヤに関する。
【背景技術】
【０００２】
スタッドレスタイヤ等では、トラクション性能を向上させるために、トレッド部を構成するブロックに細分化処理やサイピング処理が行われている。かかる構成では、ブロックの剛性が低くなるため、ヒール・アンド・トゥ摩耗などの偏摩耗が発生したり、操縦安定性が悪化したりするという課題がある。
【０００３】
かかる課題について、従来の空気入りタイヤには、特許文献１および特許文献２に記載される技術が知られている。特許文献１の空気入りタイヤでは、終端をブロック内に有するサイプがブロックに交互に配置されている。また、特許文献２の空気入りタイヤでは、フォークの先端形状を有するサイプがブロックに配置されている。従来の空気入りタイヤでは、かかるサイピング形状の改良によりブロックの剛性を向上させていた。
【０００４】
しかしながら、これらの従来の空気入りタイヤでは、ブロック内部ではサイプに分断された小ブロックが相互に支え合うことによりブロックの剛性が向上するが、ブロック端部では支え合う小ブロックが無いために剛性が向上しない。このため、ブロック内部とブロック端部とで剛性差が生じて偏摩耗（特に、ヒール・アンド・トゥ摩耗）が発生するという課題があった。
【０００５】
【特許文献１】特開平７−２６６８１０号公報
【特許文献２】特開平８−３３２８１１号公報
【発明の開示】
【発明が解決しようとする課題】
【０００６】
そこで、この発明は、上記に鑑みてされたものであって、接地時におけるブロックの剛性を向上させることにより、ブロックの偏摩耗の発生を抑制できる空気入りタイヤを提供することを目的とする。
【課題を解決するための手段】
【０００７】
上記目的を達成するため、この発明にかかる空気入りタイヤは、トレッド部に主溝および横溝を有すると共に、これらの溝によって区画されて成る複数のブロックを有する空気入りタイヤであって、隣接するブロックの対向する溝壁面には、一方の溝壁面に第一嵌合部が形成されると共に他方の溝壁面に第二嵌合部が形成されており、且つ、前記第一嵌合部および前記第二嵌合部が前記ブロックの接地時にて嵌合することを特徴とする。
【０００８】
この空気入りタイヤでは、対向する溝壁面の第一嵌合部および第二嵌合部がブロックの接地時にて嵌合することにより、ブロックが支え合ってブロックの倒れ込みが抑制される。これにより、接地時におけるブロックの剛性が高められるので、ブロックの偏摩耗が抑制される利点がある。
【０００９】
また、この発明にかかる空気入りタイヤは、前記第一嵌合部および前記第二嵌合部が、前記ブロックの踏面に近い位置に形成される。
【００１０】
この空気入りタイヤでは、第一嵌合部および第二嵌合部が溝壁面上であってブロックの踏面に近い位置に形成される。言い換えると、第一嵌合部および第二嵌合部が、溝壁面上であって、その中腹よりも踏面側に寄った位置に形成される。これにより、摩耗初期におけるブロックの倒れ込みが効果的に抑制される利点がある。
【００１１】
また、この発明にかかる空気入りタイヤは、前記第一嵌合部および前記第二嵌合部が、前記ブロックの踏面に現れない位置に形成される。
【００１２】
この空気入りタイヤでは、第一嵌合部および第二嵌合部がブロックの踏面に現れない位置に形成されるので、ブロックの摩耗によって当初から嵌合部が削られる事態が抑制される。これにより、ブロックの摩耗初期から相当期間、嵌合部の機能が確保されるので、ブロックの倒れ込みがより効果的に抑制される利点がある。
【００１３】
また、この発明にかかる空気入りタイヤは、前記第一嵌合部が、前記溝壁面を窪ませて成る凹部であり、前記第二嵌合部が、前記溝壁面を突出させて成る凸部である。
【００１４】
この空気入りタイヤでは、嵌合部が凹部もしくは凸部により構成される。かかる嵌合部は、その成形が容易である利点がある。
【００１５】
また、この発明にかかる空気入りタイヤは、前記第二嵌合部の頂部面積Ｓ２が、前記第一嵌合部の開口面積Ｓ１よりも小さい。
【００１６】
この空気入りタイヤでは、第二嵌合部の頂部面積Ｓ２が第一嵌合部の開口面積Ｓ１よりも小さくなるように構成されているので、ブロックの接地時にて、第一嵌合部と第二嵌合部とが好適に嵌合して、ブロックの倒れ込みが効果的に抑制される利点がある。なお、第二嵌合部の頂部面積Ｓ２および第一嵌合部の開口面積Ｓ１は、０．６≦（Ｓ２／Ｓ１）≦０．９の関係を満たすことがより好ましい。これにより、第一嵌合部と第二嵌合部とがより好適に嵌合して、ブロックの倒れ込みがより効果的に抑制される利点がある。
【００１７】
また、この発明にかかる空気入りタイヤは、前記ブロックが、隣接する前記ブロックの溝壁面に投影されたとき面積を投影面積Ｓ３としたときに、前記投影面積Ｓ３が、隣接する前記ブロックの溝壁面に形成された第一嵌合部の開口面積Ｓ１よりも大きくなるように構成されている。
【００１８】
この空気入りタイヤでは、ブロックの投影面積Ｓ３が、第一嵌合部の開口面積Ｓ１よりも大きくなるように構成されているので、ブロックの接地時にて、第一嵌合部と第二嵌合部とが好適に嵌合する。これにより、ブロックの倒れ込みがより効果的に抑制される利点がある。なお、ブロックの投影面積Ｓ３と、第一嵌合部の開口面積Ｓ１とは、０．４≦（Ｓ１／Ｓ３）の関係を満たすことがより好ましい。これにより、ブロックの接地時にて、第一嵌合部と第二嵌合部とがより好適に嵌合して、ブロックの倒れ込みがより効果的に抑制される利点がある。
【００１９】
また、この発明にかかる空気入りタイヤは、前記第二嵌合部の突出高さＬ２が、隣接する前記ブロック間の距離Ｇの半分以上の寸法を有する。
【００２０】
この空気入りタイヤでは、第二嵌合部の突出高さＬ２が、隣接するブロック間の距離Ｇの半分以上の寸法を有するので、ブロッの接地時にて、第一嵌合部と第二嵌合部とが好適に嵌合して、ブロックの倒れ込みがより効果的に抑制される利点がある。なお、第一嵌合部の窪み深さＬ１、第二嵌合部の突出高さＬ２、および、隣接するブロック間の距離Ｇは、Ｇ／２≦Ｌ２＜（Ｇ＋Ｌ１）の関係を満たすことが好ましい。これにより、ブロッの接地時にて、第一嵌合部と第二嵌合部とがより好適に嵌合して、ブロックの倒れ込みがより効果的に抑制される利点がある。
【００２１】
また、この発明にかかる空気入りタイヤは、前記第一嵌合部の窪み深さＬ１が、第二嵌合部の突出高さＬ２よりも小さい。
【００２２】
この空気入りタイヤでは、第一嵌合部の窪み深さＬ１が、第二嵌合部の突出高さＬ２よりも小さくなるように構成されているので、ブロックの接地時にて、第一嵌合部と第二嵌合部とが安定的に嵌合して、ブロックの倒れ込みがより効果的に抑制される利点がある。
【００２３】
また、この発明にかかる空気入りタイヤは、前記第一嵌合部および前記第二嵌合部が、少なくとも前記ブロックの横溝側の溝壁面に形成される。
【００２４】
この空気入りタイヤでは、第一嵌合部および第二嵌合部がブロックの横溝側、すなわちタイヤ周方向側の壁面に形成されるので、接地時にて、これらの嵌合部が嵌合することにより、ブロックがタイヤ周方向に結合される。これにより、ブロックのタイヤ周方向にかかる倒れ込みが抑制されるので、ブロックのヒール・アンド・トゥ摩耗が効果的に抑制される利点がある。
【００２５】
また、この発明にかかる空気入りタイヤは、前記第一嵌合部および前記第二嵌合部が、タイヤ周方向に配列された全ての前記ブロック間に形成される。
【００２６】
この空気入りタイヤでは、第一嵌合部および第二嵌合部が、タイヤ周方向に配列された少なくとも１列の全てのブロック間に形成されているので、接地時にて、接地したブロック群間のすべての第一嵌合部および第二嵌合部が嵌合する。これにより、接地したブロック群が一体となって支え合うので、ブロックの倒れ込みがより効果的に抑制される。
【発明の効果】
【００２７】
この発明にかかる空気入りタイヤによれば、対向する溝壁面の第一嵌合部および第二嵌合部がブロックの接地時にて嵌合することにより、ブロックが支え合ってブロックの倒れ込みが抑制されるので、接地時におけるブロックの剛性が高められて、ブロックの偏摩耗が抑制される利点がある。
【発明を実施するための最良の形態】
【００２８】
以下、この発明につき図面を参照しつつ詳細に説明する。なお、この実施例によりこの発明が限定されるものではない。また、以下に示す実施例の構成要素には、当業者が置換可能かつ容易なもの、或いは実質的同一のものが含まれる。
【実施例１】
【００２９】
図１は、この発明の実施例１にかかる空気入りタイヤを示す平面図である。図２〜図４は、図１に記載した空気入りタイヤのブロックを示す斜視図（図２）、平面図（図３）および側面図（図４）である。図５は、図１に記載したブロックの作用を示す側面図である。
【００３０】
この空気入りタイヤ１は、トレッド部に主溝２および横溝３を有すると共に、これらの溝２、３によって区画されて成る複数のブロック４を有する。この空気入りタイヤ１では、隣接するブロック４、４間の対向する溝壁面に、嵌合部４１、４２が形成されている。そして、ブロック４の接地時にて、これらの嵌合部４１、４２が嵌合することにより、ブロック４の倒れ込みが抑制されてブロック４の剛性が向上する点に特徴を有する。
【００３１】
ブロック４の嵌合部４１、４２は、第一嵌合部４１および第二嵌合部４２から成る（図２参照）。第一嵌合部４１は、隣接するブロック４、４間の対向する溝壁面のうち一方の溝壁面に形成され、この溝壁面を窪ませて成る凹部により構成される。第二嵌合部４２は、他方の溝壁面に形成され、この溝壁面を突出させて成る凸部により構成される。なお、かかる凹部および凸部から成る嵌合部４１、４２は、その成形が容易である。また、第一嵌合部４１および第二嵌合部４２は、ブロック４、４の横溝３側、すなわちタイヤ周方向側の溝壁面に形成されている。また、第一嵌合部４１および第二嵌合部４２は、タイヤ周方向に隣接するブロック４、４間にて対となるように構成されており、組合わさったときに相互に嵌合する形状および寸法を有する（図３参照）。また、第一嵌合部４１および第二嵌合部４２は、ブロック４の踏面に現れないように、溝壁面の中腹（ブロック高さの途中）に設けられている（図４参照）。
【００３２】
この空気入りタイヤ１では、トレッド部（ブロック４の踏面）の接地時にて、ブロック４が接地圧により潰れて幅方向に膨らむと、溝幅が狭まることにより、隣接するブロック４、４の第一嵌合部４１および第二嵌合部４２が組合わさって嵌合する（図５参照）。そして、これらの嵌合部４１、４２を介してブロック４、４同士が支え合うことにより、ブロック４の倒れ込みが抑制される。
【００３３】
また、この空気入りタイヤ１では、第一嵌合部４１および第二嵌合部４２が、ブロックの接地時にて嵌合し（図５参照）、ブロック４の高さ方向および幅方向の双方向に対して係合するように構成されている。かかる構成では、嵌合部４１、４２の嵌合によって、接地時における溝壁面の平面方向への位置ズレ、特に、ブロック４の高さ方向への位置ズレが抑制される。これにより、ブロック４の倒れ込みがより効果的に抑制される。
【００３４】
また、この空気入りタイヤ１では、第一嵌合部４１および第二嵌合部４２がブロック４の横溝３側の溝壁面に形成されている。かかる構成では、接地時にて、これらの嵌合部４１、４２が嵌合することにより、ブロック４がタイヤ周方向に結合される。これにより、ブロック４のタイヤ周方向にかかる倒れ込みが抑制されるので、ブロック４のヒール・アンド・トゥ摩耗が効果的に抑制される利点がある。
【００３５】
また、この空気入りタイヤ１では、第一嵌合部４１および第二嵌合部４２が、タイヤ周方向に配列された全てのブロック４、４間に形成されている（図１〜図４参照）。言い換えると、タイヤ周方向に隣接するブロック４、４のすべての溝壁面には、対向する溝壁面の一方に第一嵌合部４１が形成され、他方に第二嵌合部４２が形成されている。かかる構成では、接地したブロック４群間のすべての第一嵌合部４１および第二嵌合部４２が嵌合して、これらのブロック４群があたかも一本のリブとなるように機能する。これにより、接地したブロック４群が一体となって支え合い、ブロック４の倒れ込みがより効果的に抑制される。
【００３６】
この空気入りタイヤ１によれば、接地時にて、ブロック４の嵌合部４１、４２が嵌合することによりブロック４の倒れ込みが抑制されるので、接地時におけるブロック４の剛性が高められ、また、トレッド部の接地面積が維持される。これにより、タイヤのトラクション性能や操縦安定性が向上すると共に、ブロック４の偏摩耗（特に、ヒール・アンド・トゥ摩耗）が抑制される利点がある。
【００３７】
なお、この空気入りタイヤ１では、嵌合部４１、４２が、溝壁面上であってブロック４の踏面（トレッド部の表面）に近い位置に形成されている（図４参照）。かかる構成は、摩耗初期におけるブロック４の倒れ込みが効果的に抑制される点で好ましい。具体的には、嵌合部４１、４２が、溝壁面上であって、その中腹よりも踏面側に寄った位置に形成されることが好ましい。また、嵌合部４１、４２が、溝壁面上であって、ブロック４の高さの５０［％］以上の位置に形成されることがより好ましい。
【００３８】
しかし、これに限らず、嵌合部４１、４２が溝壁面上のいずれの位置に形成されていても良い。例えば、嵌合部４１、４２は、接地時にてブロック４が潰れたときに、溝壁面上であってブロック４が最も膨らむ位置に形成されることが好ましい。これにより、ブロック４が潰れたときに嵌合部４１、４２が嵌合し易くなるので、ブロック４の倒れ込みがより効果的に抑制される利点がある。
【００３９】
また、この空気入りタイヤ１では、嵌合部４１、４２がブロック４の踏面に現れないように形成される（図４参照）。かかる構成では、ブロック４の摩耗によって当初から嵌合部４１、４２が削られる事態が抑制されるので、ブロック４の摩耗初期から中期に渡って相当期間、嵌合部４１、４２の機能が確保される。また、ブロック４の高さ方向にかかる嵌合部４１、４２の嵌合が確保されるので、高さ方向への溝壁面間の位置ズレないしは滑りが抑制される。これにより、ブロック４の倒れ込みがより効果的に抑制される利点がある。しかし、これに限らず、嵌合部４１、４２がブロック４の踏面に現れるように形成されていても良い（図示省略）。
【００４０】
なお、当初は嵌合部４１、４２がブロック４の踏面に現れていなくとも、ブロック４の摩耗により、いずれは嵌合部４１、４２がブロック４の踏面に現れる。しかし、ある程度ブロック４が摩耗した段階では、ブロック４の高さが低くなるためにブロック４の剛性が向上している。したがって、かかる段階では、嵌合部４１、４２の機能が不要となるため、何ら問題が生じない。
【００４１】
また、この空気入りタイヤ１では、第二嵌合部４２が略四角柱形状の凸部により構成されており、第一嵌合部４１がかかる凸部に対応した凹部により構成されている（図１〜図５参照）。かかる構成は、これらの嵌合部４１、４２が嵌合したときに溝壁面の平面方向（ブロック４の高さ方向および幅方向）にしっかりと組み合い、ブロック４の倒れ込みが効果的に抑制される点で好ましい。
【００４２】
しかし、これに限らず、第一嵌合部４１および第二嵌合部４２の形状は、これらの作用や加工容易性に基づいて、当業者自明の範囲内で選択され得る。例えば、第二嵌合部４２が他の角柱形状、円柱形状、錘形状、半球形状その他の形状を有する凸部から成り、第一嵌合部４１がかかる凸部に対応した凹部により構成されても良い（図示省略）。
【実施例２】
【００４３】
図６は、この発明の実施例２にかかる空気入りタイヤの性能試験の結果を示す表である。この実施例２の空気入りタイヤ１において、上記実施例１の空気入りタイヤ１と同一の構成要素には同一の符号を付し、その説明を省略する。
【００４４】
この空気入りタイヤ１では、ブロック４、４の間隔（横溝３の溝幅）Ｇが６［ｍｍ］、第一嵌合部４１の窪み深さＬ１が１［ｍｍ］、第二嵌合部４２の高さＬ２が４［ｍｍ］となるように構成される（図３および図４参照）。また、主溝２および横溝３の溝深さは、いずれも１８．５［ｍｍ］である。
【００４５】
なお、第一嵌合部４１の窪み深さＬ１とは、溝壁面に対する第一嵌合部４１の深さであり、トレッド部を平面視したときの踏面端部からの凹量を意味する。また、第二嵌合部４２の突出高さＬ２とは、溝壁面に対する第二嵌合部４２の高さであり、トレッド部を平面視したときの踏面端部からの凸量を意味する。また、ブロック４、４間の距離Ｇは、ブロック４、４間の溝幅でもある。
【００４６】
図６に示す性能試験では、空気入りタイヤ１が、１１Ｒ２２．５  １４ＰＲのタイヤサイズを有し、ＪＡＴＭＡの正規条件に従ってリム組みされて、最大内圧および最大荷重を負荷されている。そして、この空気入りタイヤ１について、（１）耐偏摩耗性能および（２）制動性能（制動距離）について試験を行った。
【００４７】
（１）耐偏摩耗性能の試験では、空気入りタイヤ１が装着された車両を舗装道路にて３万［ｋｍ］の走行させて、ブロック４のヒール・アンド・トゥ摩耗の発生量について指数評価を行った。また、（２）制動性能試験では、空気入りタイヤ１が装着された車両について、４０［ｋｍ／ｈ］での走行時にてブレーキングを開始し、制動距離を測定して指数評価を行った。また、制動性能試験は、路面状態がドライ（路面温度２５［度］）およびスノー（圧雪路。路面温度０［度］。）の場合について行った。なお、これらの指数評価は、従来例を基準（１００）として表示されており、いずれも数値が大きいほど好ましい。
【００４８】
図６に示すように、この空気入りタイヤ１は、嵌合部４１、４２を有しない従来の空気入りタイヤ（従来例）と比較して、耐偏摩耗性能および制動性能（ドライおよびスノー）のいずれについても向上していることが分かる。
【実施例３】
【００４９】
図７は、この発明の実施例３にかかる空気入りタイヤのブロックを示す説明図である。図８は、図７に記載した空気入りタイヤの性能試験の結果を示す表である。この実施例３にかかる空気入りタイヤにおいて、上記実施例１および実施例２の空気入りタイヤ１と同一の構成要素には同一の符号を付し、その説明を省略する。
【００５０】
この空気入りタイヤ１では、第二嵌合部４２の頂部面積Ｓ２が、第一嵌合部４１の開口面積Ｓ１よりも小さくなるように構成されている（図７参照）。また、第二嵌合部４２が、嵌合時にて安定的に第一嵌合部４１に付勢できる程度の頂部面積Ｓ２を有する。具体的には、第一嵌合部４１の開口面積Ｓ１と、第二嵌合部４２の頂部面積Ｓ２とが、０．６≦（Ｓ２／Ｓ１）≦０．９の関係を満すことが好ましい。これにより、ブロック４の接地時にて、第一嵌合部４１と第二嵌合部４２とが好適に嵌合して、ブロック４の倒れ込みが効果的に抑制される利点がある。
【００５１】
図８に示す性能試験では、空気入りタイヤ１が、１１Ｒ２２．５  １４ＰＲのタイヤサイズを有し、ＪＡＴＭＡの正規条件に従ってリム組みされて、最大内圧および最大荷重を負荷されている。この性能試験では、第一嵌合部４１の開口面積Ｓ１の値、および、第二嵌合部４２の頂部面積Ｓ２の値を変更して制動性能試験（ドライ）を行い、空気入りタイヤ１の制動性能について評価を行った。なお、この制動性能試験にかかる試験方法は、実施例２の場合と同様である。
【００５２】
図８に示すように、この空気入りタイヤ１は、嵌合部４１、４２を有しない従来の空気入りタイヤ（従来例）と比較して、制動性能が向上していることが分かる。また、第一嵌合部４１の開口面積Ｓ１と、第二嵌合部４２の頂部面積Ｓ２とが０．６≦（Ｓ２／Ｓ１）≦０．９の関係を満たすときに、より高い制動性能が得られることが分かる（発明例１、３、４、５参照）。
【実施例４】
【００５３】
図９−１及び図９−２は、この発明の実施例４にかかる空気入りタイヤのブロックを示す説明図である。図１０は、図９−１及び図９−２に記載した空気入りタイヤの性能試験の結果を示す表である。この実施例４の空気入りタイヤ１において、上記実施例１〜実施例３の空気入りタイヤ１と同一の構成要素には同一の符号を付し、その説明を省略する。
【００５４】
この空気入りタイヤ１では、ブロック４が隣接するブロック４の溝壁面に投影されたとき面積を投影面積Ｓ３としたときに、この投影面積Ｓ３が、第一嵌合部４１の開口面積Ｓ１よりも大きくなるように構成されている（図９−１及び図９−２参照）。具体的には、ブロック４の投影面積Ｓ３と、第一嵌合部４１の開口面積Ｓ１とが、０．４≦（Ｓ１／Ｓ３）の関係を満たすことが好ましい。これにより、ブロック４の接地時にて、第一嵌合部４１と第二嵌合部４２とが好適に嵌合して、ブロック４の倒れ込みがより効果的に抑制される利点がある。なお、投影面積Ｓ３は、隣接するブロック４、４が直線的に配列されている場合にはブロック４の溝壁面の面積と等しくなり（図９−１参照）、隣接するブロック４、４が斜めに配列されている場合には投影されたブロック４の面積と等しくなる（図９−２参照）。
【００５５】
図１０に示す性能試験では、空気入りタイヤ１が、１１Ｒ２２．５  １４ＰＲのタイヤサイズを有し、ＪＡＴＭＡの正規条件に従ってリム組みされて、最大内圧および最大荷重を負荷されている。この性能試験では、第一嵌合部４１の開口面積Ｓ１の値、および、ブロック４の投影面積Ｓ３の値を変更して制動性能試験を行い、空気入りタイヤ１の制動性能（ドライ）について評価を行った。
【００５６】
なお、この制動性能試験にかかる試験方法は、実施例２の場合と同様である。また、この制動性能試験では、第一嵌合部４１の開口面積Ｓ１と、第二嵌合部４２の頂部面積Ｓ２とが（Ｓ２／Ｓ１）＝０．９の関係を満たすように構成されている。
【００５７】
図１０に示すように、この空気入りタイヤ１は、嵌合部４１、４２を有しない従来の空気入りタイヤ（従来例）と比較して、制動性能が向上していることが分かる。また、ブロック４の投影面積Ｓ３と、第一嵌合部４１の開口面積Ｓ１とが、０．４≦（Ｓ１／Ｓ３）の関係を満たすときに、より高い制動性能が得られることが分かる（発明例１、７、８参照）。
【実施例５】
【００５８】
図１１は、この発明の実施例５にかかる空気入りタイヤの性能試験の結果を示す表である。この実施例５の空気入りタイヤ１において、上記実施例１〜実施例４の空気入りタイヤ１と同一の構成要素には同一の符号を付し、その説明を省略する。
【００５９】
この空気入りタイヤ１では、第二嵌合部の突出高さＬ２が、隣接するブロック４、４間の距離Ｇの半分以上の寸法を有するように構成されている。具体的には、第一嵌合部４１の窪み深さＬ１、第二嵌合部の突出高さＬ２、および、隣接するブロック４、４間の距離Ｇが、Ｇ／２≦Ｌ２＜（Ｇ＋Ｌ１）の関係を満たすように構成されている（図２および図３参照）。かかる構成とすれば、ブロック４の接地時にて、第一嵌合部４１と第二嵌合部４２とが好適に嵌合して、ブロック４の倒れ込みがより効果的に抑制される利点がある。
【００６０】
図１１に示す性能試験では、空気入りタイヤ１が、１１Ｒ２２．５  １４ＰＲのタイヤサイズを有し、ＪＡＴＭＡの正規条件に従ってリム組みされて、最大内圧および最大荷重を負荷されている。この性能試験では、第一嵌合部４１の窪み深さＬ１の値を１［ｍｍ］に固定し、第二嵌合部４２の突出高さＬ２の値を変更して制動性能試験を行い、空気入りタイヤ１の制動性能（ドライ）について評価を行った。
【００６１】
なお、この制動性能試験にかかる試験方法は、実施例２の場合と同様である。また、この制動性能試験では、第一嵌合部４１の開口面積Ｓ１と、第二嵌合部４２の頂部面積Ｓ２とが（Ｓ２／Ｓ１）＝０．９の関係を満たすように構成されている。また、ブロック４の投影面積Ｓ３と、第一嵌合部４１の開口面積Ｓ１とが、（Ｓ１／Ｓ３）＝０．５の関係を満たすように構成されている。また、溝深さは、１８．５［ｍｍ］である。
【００６２】
図１１に示すように、この空気入りタイヤ１は、嵌合部４１、４２を有しない従来の空気入りタイヤ（従来例）と比較して、制動性能が向上していることが分かる。また、第一嵌合部４１の窪み深さＬ１、第二嵌合部の突出高さＬ２、および、対向するブロック４、４間の距離Ｇが、Ｇ／２≦Ｌ２＜（Ｇ＋Ｌ１）の関係を満たすときに、より高い制動性能が得られることが分かる（発明例１、１０、１１参照）。
【実施例６】
【００６３】
図１２は、この発明の実施例６にかかる空気入りタイヤの性能試験の結果を示す表である。この実施例６の空気入りタイヤ１において、上記実施例１〜実施例５の空気入りタイヤ１と同一の構成要素には同一の符号を付し、その説明を省略する。
【００６４】
この空気入りタイヤ１では、第一嵌合部４１の窪み深さＬ１が、第二嵌合部４２の突出高さＬ２よりも小さくなるように構成されている（図２および図３参照）。すなわち、第一嵌合部４１の窪み深さＬ１、および、第二嵌合部４２の突出高さＬ２が、０＜Ｌ１＜Ｌ２の関係を満たす。かかる構成とすれば、ブロック４の接地時にて、第一嵌合部４１と第二嵌合部４２とが安定的に嵌合して、ブロック４の倒れ込みがより効果的に抑制される利点がある。
【００６５】
図１２に示す性能試験では、空気入りタイヤ１が、１１Ｒ２２．５  １４ＰＲのタイヤサイズを有し、ＪＡＴＭＡの正規条件に従ってリム組みされて、最大内圧および最大荷重を負荷されている。この性能試験では、第二嵌合部４２の突出高さＬ２の値を４［ｍｍ］に固定し、第一嵌合部４１の窪み深さＬ１の値を変更して制動性能試験を行い、空気入りタイヤ１の制動性能（ドライ）について評価を行った。
【００６６】
なお、この制動性能試験にかかる試験方法は、実施例２の場合と同様である。また、この制動性能試験では、第一嵌合部４１の開口面積Ｓ１と、第二嵌合部４２の頂部面積Ｓ２とが（Ｓ２／Ｓ１）＝０．９の関係を満たすように構成されている。また、ブロック４の投影面積Ｓ３と、第一嵌合部４１の開口面積Ｓ１とが、（Ｓ１／Ｓ３）＝０．５の関係を満たすように構成されている。また、溝深さは、１８．５［ｍｍ］である。
【００６７】
図１２に示すように、この空気入りタイヤ１は、第一嵌合部４１の窪み深さＬ１が０［ｍｍ］の空気入りタイヤ（比較例４）と比較して、制動性能が向上していることが分かる（発明例１、１２、１３参照）。
【実施例７】
【００６８】
図１３および図１４は、この発明の実施例７にかかる空気入りタイヤのブロックを示す説明図である。これらの図において、上記実施例１の空気入りタイヤ１と同一の構成要素には同一の符号を付し、その説明を省略する。
【００６９】
この空気入りタイヤ１では、第一嵌合部４１および第二嵌合部４２が、ブロック４の幅と同一幅に形成されている。かかる構成では、ブロック４の接地時にて第一嵌合部４１と第二嵌合部４２とが嵌合したときに、これらの嵌合部４１、４２がブロック４の高さ方向（溝深さ方向）に組み合ってブロック４の倒れ込みが抑制される（図示省略。図５参照）。これにより、接地時におけるブロック４の剛性が高められ、また、トレッド部の接地面積が維持されるので、タイヤのトラクション性能や操縦安定性が向上すると共に、ブロック４の偏摩耗が抑制される利点がある。
【実施例８】
【００７０】
図１５は、この発明の実施例８にかかる空気入りタイヤのブロックを示す説明図である。同図において、上記実施例１の空気入りタイヤ１と同一の構成要素には同一の符号を付し、その説明を省略する。
【００７１】
この空気入りタイヤ１では、第一嵌合部４１および第二嵌合部４２が、ブロック４の主溝２側の溝壁面にも形成されている。すなわち、隣接するブロック４、４が、主溝２側の溝壁面（および横溝３側の溝壁面）に第一嵌合部４１もしくは第二嵌合部４２を有しており、且つ、主溝２（および横溝３）を挟んで対向するブロック４、４間にて、これらの嵌合部４１、４２が相互に嵌合するように対となって構成されている。
【００７２】
かかる構成では、ブロック４の接地時したときに、主溝２側および横溝３側の双方の溝壁面にて第一嵌合部４１と第二嵌合部４２とが嵌合する（図示省略）。したがって、かかる構成では、ブロック４がトレッド部の周方向および幅方向にて相互に組み合うので、ブロック４の倒れ込みがより効果的に抑制される。特に、ブロック４の幅方向にかかる倒れ込みが抑制される。これにより、接地時におけるブロック４の剛性が高められ、また、トレッド部の接地面積が維持されるので、タイヤのトラクション性能や操縦安定性が向上すると共に、ブロック４の偏摩耗が抑制される利点がある。
【産業上の利用可能性】
【００７３】
以上のように、本発明にかかる空気入りタイヤは、接地時におけるブロックの剛性を向上させることにより、ブロックの偏摩耗の発生を抑制できる点で有用である。
【図面の簡単な説明】
【００７４】
【図１】この発明の実施例１にかかる空気入りタイヤを示す平面図である。
【図２】図１に記載した空気入りタイヤのブロックを示す斜視図である。
【図３】図１に記載した空気入りタイヤのブロックを示す平面図である。
【図４】図１に記載した空気入りタイヤのブロックを示す側面図である。
【図５】図１に記載したブロックの作用を示す側面図である。
【図６】この発明の実施例２にかかる空気入りタイヤの性能試験の結果を示す図表である。
【図７】この発明の実施例３にかかる空気入りタイヤのブロックを示す説明図である。
【図８】図７に記載した空気入りタイヤの性能試験の結果を示す図表である。
【図９−１】この発明の実施例４にかかる空気入りタイヤのブロックを示す説明図である。
【図９−２】この発明の実施例４にかかる空気入りタイヤのブロックを示す説明図である。
【図１０】図９に記載した空気入りタイヤの性能試験の結果を示す図表である。
【図１１】この発明の実施例５にかかる空気入りタイヤの性能試験の結果を示す図表である。
【図１２】この発明の実施例６にかかる空気入りタイヤの性能試験の結果を示す図表である。
【図１３】この発明の実施例７にかかる空気入りタイヤのブロックを示す説明図である。
【図１４】この発明の実施例７にかかる空気入りタイヤのブロックを示す説明図である。
【図１５】この発明の実施例８にかかる空気入りタイヤのブロックを示す説明図である。
【符号の説明】
【００７５】
１    空気入りタイヤ
２    主溝
３    横溝
４    ブロック
４１  第一嵌合部
４２  第二嵌合部
Ｓ１  嵌合部の開口面積
Ｓ２  頂部面積
Ｓ３  投影面積
Ｇ    ブロック間の距離
【図１】
2005297845.tif 000003
【図２】
2005297845.tif 000004
【図３】
2005297845.tif 000005
【図４】
2005297845.tif 000006
【図５】
2005297845.tif 000007
【図６】
2005297845.tif 000008
【図７】
2005297845.tif 000009
【図８】
2005297845.tif 000010
【図９−１】
2005297845.tif 000011
【図９−２】
2005297845.tif 000012
【図１０】
2005297845.tif 000013
【図１１】
2005297845.tif 000014
【図１２】
2005297845.tif 000015
【図１３】
2005297845.tif 000016
【図１４】
2005297845.tif 000017
【図１５】
2005297845.tif 000018